(57)【特許請求の範囲】
【請求項１】
少なくとも番組のタイトル、日付、および時刻を含む番組情報、および前記番組もしくは番組表を提供するスポンサーの広告情報を含む番組表情報を取得する番組情報取得手段と、
取得された前記番組表情報に基づいて、前記番組を紹介するための番組情報、および前記番組もしくは番組表を提供するスポンサーの広告画像を１つの番組単位で１つの画面となるように表示を制御する表示制御手段と
を備えることを特徴とする受信装置。
【請求項２】
前記表示制御手段は、前記広告画像を、前記番組表の所定の領域内に表示する
ことを特徴とする請求項１に記載の受信装置。
【請求項３】
前記広告画像は、静止画像である
ことを特徴とする請求項１に記載の受信装置。
【請求項４】
少なくとも番組のタイトル、日付、および時刻を含む番組情報、および前記番組もしくは番組表を提供するスポンサーの広告情報を含む番組表情報を取得する番組情報取得ステップと、
取得された前記番組表情報に基づいて、前記番組を紹介するための番組情報、および前記番組もしくは番組表を提供するスポンサーの広告画像を１つの番組単位で１つの画面となるように表示を制御する表示制御ステップと
を含むことを特徴とする表示方法。
【発明の詳細な説明】
【０００１】
【発明の属する技術分野】
本発明は、例えば衛星回線や地上回線などを介して行われるテレビジョン放送を受信する受信装置を遠隔操作する受信装置及び表示方法に関する。
【０００２】
【従来の技術】
最近の、例えばテレビジョン放送などを受信する受信装置（例えば、テレビジョン受像機など）においては、例えば受信する放送のチャンネルの選択（選局）や、音量の調整などが、リモコン装置により遠隔操作することができるようになされている。
【０００３】
【発明が解決しようとする課題】
従って、リモコン装置によれば、視聴者（使用者）は、受信装置から離れたところに位置していても、受信チャンネルの変更などを行うことができる。しかしながら、リモコン装置を用いる場合でも、視聴者は、例えば新聞紙上などに掲載された番組欄を参照し、所望する番組が放送されているチャンネルを選択しなければならず、視聴者に煩わしさを感じさせる課題があった。
【０００４】
そこで、リモコン装置を操作することにより、受信チャンネルをランダムに変えながら、画面に表示される画像を見て、視聴する番組を選択する方法があるが、この場合には、受信チャンネルを順次変更するように、リモコン装置を操作しなければならず、やはり視聴者に煩わしさを感じさせる課題があった。
【０００５】
本発明はこのような状況に鑑みてなされたものであり、所望する番組のチャンネルを、容易に選択することができるようにするものである。
【０００６】
【課題を解決するための手段】
本発明の受信装置は、少なくとも番組のタイトル、日付、および時刻を含む番組情報、および番組もしくは番組表を提供するスポンサーの広告情報を含む番組表情報を取得する番組情報取得手段と、取得された番組表情報に基づいて、番組を紹介するための番組情報、および番組もしくは番組表を提供するスポンサーの広告画像を１つの番組単位で１つの画面となるように表示を制御する表示制御手段とを備えることを特徴とする。
【０００７】
本発明の表示方法は、少なくとも番組のタイトル、日付、および時刻を含む番組情報、および番組もしくは番組表を提供するスポンサーの広告情報を含む番組表情報を取得する番組情報取得ステップと、取得された番組表情報に基づいて、番組を紹介するための番組情報、および番組もしくは番組表を提供するスポンサーの広告画像を１つの番組単位で１つの画面となるように表示を制御する表示制御ステップとを含むことを特徴とする。
【００１０】
本発明の受信装置においては、少なくとも番組のタイトル、日付、および時刻を含む番組情報、および番組もしくは番組表を提供するスポンサーの広告情報を含む番組表情報が取得され、その番組表情報に基づいて、番組を紹介するための番組情報、および番組もしくは番組表を提供するスポンサーの広告画像を１つの番組単位で１つの画面となるように表示される。
【００１１】
本発明の表示方法においては、少なくとも番組のタイトル、日付、および時刻を含む番組情報、および番組もしくは番組表を提供するスポンサーの広告情報を含む番組表情報が取得され、その番組表情報に基づいて、番組を紹介するための番組情報、および番組もしくは番組表を提供するスポンサーの広告画像を１つの番組単位で１つの画面となるように表示される。
【００１４】
【発明の実施の形態】
図１は、本発明のテレビジョン放送方法の原理を表している。同図に示すように、放送局側の送信装置１にはアンテナ２が備えられており、このアンテナ２より、電波が、通信衛星、放送衛星などの衛星１１に送られる。衛星１１は、この電波を受信し、所定の変換処理を行った後、各家庭に配置されている受信装置２２に伝送する。受信装置２２は、アンテナ２１によりこの電波を受信し、復調する。
【００１５】
送信装置１は、衛星１１に対して、ビデオ信号とオーディオ信号を、それぞれ異なるチャンネルで伝送する。
【００１６】
図２は、このうちのオーディオ信号の伝送フォーマットを表している。同図に示すように、このオーディオデータのためのチャンネルは、１．７Ｍｂｐｓのビットレートとされ、このビットレートの中に、「オーディオ１」乃至「オーディオ４」の４チャンネルのオーディオデータと、その他のデータのためのデータチャンネルが割り当てられている。そして、これらの「オーディオ１」乃至「オーディオ４」とデータチャンネルに対して、ヘッダと、エラー訂正のためのコード（ＥＣＣ）も割り当てられている。
【００１７】
「オーディオ１」と「オーディオ２」には、放送されるビデオ信号に付随するステレオ（ＬおよびＲチャンネル）のオーディオデータが配置される。また、オーディオ３とオーディオ４には、音楽専用放送用のステレオオーディオデータが配置されている。
【００１８】
一方、４８０Ｋｂｐｓのビットレートを有するデータチャンネルは、図３に示すように、「パケット０」乃至「パケット１４」の１５個のパケットにより構成されており、パケット単位で所定のデータを伝送することができるようになされている。
【００１９】
この実施例においては、この１５個のパケットのうち、所定の数のパケットを用いて、番組表データが伝送されるようになされている。
【００２０】
図４は、番組表データの構造の例を表している。同図に示すように、所定の放送局において、例えば１日に１５本のテレビ番組を放送する場合、各番組ごとに、番組表１乃至番組表１５が形成される。各番組表は、対応する番組を紹介（案内）するものであり、例えば図５に示すように、そのテレビ番組を紹介するための所定のシーンの静止画像３枚、最大１５秒間の解説のためのオーディオ信号、並びに後述する表示テキストデータに対応するテキストデータ、および後述する制御テキストデータに対応するジャンル分けデータ、時刻情報、その他の番組情報を含むその他のデータにより構成される。
【００２１】
静止画像は、１枚の画像を６４０×４８０画素で構成し、２５６色のカラーで表示するものとすると、例えばＷｉｎｄｏｗｓ（登録商標）の標準のＢＭＰフォーマットに従えば、１枚の画像の容量は、３００ＫＢｙｔｅとなる。従って、３枚の静止画像を表すのに必要な容量は、９００ＫＢｙｔｅとなる。
【００２２】
一方、オーディオ信号は、Ｗｉｎｄｏｗｓ（登録商標）の標準のＷＡＶフォーマットにしたがって、１サンプルを８ビットで表すとともに、サンプリング周波数を、２２．１ｋＨｚとし、モノラルの音声とすると、その容量は３００ＫＢｙｔｅとなる。
【００２３】
テキストデータ（表示テキストデータ）に代表されるその他のデータ（以下、単に、テキストデータという）の容量を、２ＫＢｙｔｅとすると、１つの番組の番組表を表現するのに必要な容量は、約１．２ＭＢｙｔｅとなる。
【００２４】
この番組表データは、毎日、翌日の分を前日の夜に伝送したり、１週間分、１ヶ月分などのまとまったデータを自由に伝送するようにする。
【００２５】
１日分の番組数を１５とした場合、この番組表の１日分の全転送データ量は、１８ＭＢｙｔｅ（＝１．２×１５）となるので、約１６分で転送することができる。１週間分あるいは１ヶ月分伝送する場合においては、その分だけ時間がかかることになるため、転送時間を考慮して、事前に伝送される。
【００２６】
図６は、１つの番組の番組表の表示例を表している。この実施例においては、画面左上方部に１枚の静止画が表示されている。この静止画は、図５に示した３枚の静止画のうちの１枚である。また、その静止画の上方には、この番組のタイトル「エイリアン」がテキストデータ（表示テキストデータ）に対応して表示されている。さらにまた、静止画像の下側には、この番組の原作、脚本、監督の人物名と、この番組を紹介する文字が、テキストデータ（表示テキストデータ）に対応して表示されている。
【００２７】
また、静止画像の右側には、この番組の種類（ジャンル）を表す選択マーク（ジャンルマーク）が、テキストデータ（表示テキストデータ）に対応して表示されている。
【００２８】
なお、番組表データを構成するテキストデータには、上述したように番組表の中に（番組表として）表示されるもの（以下、適宜、表示テキストデータという）の他、その番組のジャンルを表す選択マークに対応する、ユニークなコードとしての選択コードが含まれている（以下、選択コードのように、番組表の中に表示されないテキストデータを、適宜、制御テキストデータという）。さらに、このような選択コードの他、制御テキストデータには、その番組の放送時刻に関する時刻情報（例えば、放送開始時刻とその終了時刻や、放送開始時刻とその放送時間など）、および番組が放送されるチャンネル（以下、適宜、チャンネル情報という）が、少なくとも含まれている。
【００２９】
さらに、画面の右下方には、この番組を提供するスポンサーのための広告表示部が設けられている。この広告表示部には、この番組を提供するスポンサーの他、この番組表を提供するスポンサーの広告を表示するようにすることも可能である。この広告表示部に表示するデータは、静止画像とすることもできるし、表示テキストデータとすることもできる。
【００３０】
番組表データは、以上のような静止画像（ビデオ信号）、音声（オーディオ信号）、およびテキストデータ（表示テキストデータ、制御テキストデータ）で構成される。
【００３１】
図１に示した送信装置１では、選択コードは、番組表データに含める他、その番組表に対応する番組の、例えばビデオ信号に重畳（合成）することができるようになされている。即ち、番組の種類を表す選択コードは、例えば図７に示すように、そのビデオ信号の垂直ブランキング期間のうちの、例えば第１０Ｈ乃至第２１Ｈの範囲の少なくとも１Ｈに重畳されるようになされている。
【００３２】
この場合、受信装置２２（図１）側において、ビデオ信号に重畳されている選択コードを検出することにより、その番組の種類（ジャンル）を認識することができる。
【００３３】
次に、図８は、図１の送信装置１の詳細構成を示している。上述した番組表データを構成するテキストデータ、ビデオ信号、またはオーディオ信号は、合成回路４３，Ａ／Ｄ変換器４１、または４４に、それぞれ供給されるようになされている。また、テレビ番組（テレビジョン放送）用のビデオ信号またはオーディオ信号は、合成回路３１またはＡ／Ｄ変換器３４に、それぞれ供給されるようになされている。
【００３４】
Ａ／Ｄ変換器４１または４４は、入力された番組表データを構成するビデオ信号またはオーディオ信号を、それぞれＡ／Ｄ変換し、合成回路４３に供給するようになされている。合成回路４３は、番組表データを構成するテキストデータと、Ａ／Ｄ変換器４１または４２それぞれから供給される番組表データのビデオ信号またはオーディオ信号とを合成し、その合成したデータを合成回路３５に出力するようになされている。
【００３５】
Ａ／Ｄ変換器３４は、テレビ番組用のオーディオ信号をＡ／Ｄ変換し、合成回路３５に出力するようになされている。合成回路３５は、Ａ／Ｄ変換器３４または合成回路４３それぞれの出力データを、上述した図２に示すフォーマットにしたがって配置し、変調回路３３に出力するようになされている。
【００３６】
合成回路３１には、テレビ番組用のビデオ信号の他、そのテレビ番組のジャンルを表す、図７で説明した選択コードを供給することができるようになされており、そこでは、選択コードが供給された場合には、上述したように、ビデオ信号の垂直ブランキング期間の所定の水平走査線上に、選択コードが重畳され、スクランブル回路３２に出力されるようになされている。また、合成回路３１は、そこにテレビ番組用のビデオ信号だけが供給された場合には、そのビデオ信号を、そのままスクランブル回路３２に出力するようになされている。
【００３７】
スクランブル回路３２では、合成回路３１からのビデオ信号に対し、所定のスクランブル方式（例えば、ラインパーミテイション方式（走査線入れ替え方式）など）でのスクランブルが施され、そのスクランブル結果が、変調回路３３に出力されるようになされている。
【００３８】
変調回路３３は、合成回路３５からの出力信号を、例えばＱＰＳＫ変調するとともに、スクランブル回路３２からの出力信号を、例えばＦＭ変調し、図示せぬ後段の送信回路に出力するようになされている。
【００３９】
以上のように構成される送信装置１においては、例えば１日分や１週間分、１ヶ月分などの所定の期間に放送される番組に対応する番組表データを構成するテキストデータ（図６に示したテレビ番組の案内画面に表示される選択マークに対応する選択コードや、そのテレビ番組の時刻情報、チャンネル情報などでなる制御テキストデータ、および番組表内に表示される文字、図形、記号（選択マークを含む）などの表示テキストデータ）、ビデオ信号、またはオーディオ信号が、合成回路４３，Ａ／Ｄ変換器４１、または４４に、それぞれ供給される。Ａ／Ｄ変換器４１または４４では、番組表データのビデオ信号またはオーディオ信号が、それぞれＡ／Ｄ変換され、これによりディジタル信号とされた番組表データのビデオ信号またはオーディオ信号それぞれが、合成回路４３に出力される。
【００４０】
合成回路４３では、番組表データのテキストデータと、Ａ／Ｄ変換器４１または４４それぞれから順次供給される番組表データのビデオ信号またはオーディオ信号とが合成され、図４に示したようなデータ構造にされて、合成回路３５に出力される。
【００４１】
一方、テレビ番組（テレビジョン放送）用のビデオ信号またはオーディオ信号は、合成回路３１またはＡ／Ｄ変換器３４に、それぞれ供給される。Ａ／Ｄ変換回路３４では、テレビ番組用のオーディオ信号が、Ａ／Ｄ変換されることによりディジタル信号とされ、合成回路３５に出力される。
【００４２】
ここで、図８には、図示していないが、オーディオ信号は、ＬおよびＲチャンネルの２系統あり、Ａ／Ｄ変換器３４では、このＬおよびＲチャンネルのオーディオ信号がＡ／Ｄ変換され、合成回路３５に出力されるようになされている。
【００４３】
合成回路３５では、Ａ／Ｄ変換器３４からのＬまたはＲチャンネルのオーディオ信号が、図２で説明したフォーマットの「オーディオ１」または「オーディオ２」の部分にそれぞれ配置されるとともに、合成回路４３からの番組表データが、同じく図２で説明した「データ」（データチャンネル）の部分（但し、「データ」の部分のうちの、番組表データにあらかじめ割り当てられたパケット（図３）の部分）に配置される。そして、合成回路３５は、それらに、必要なヘッダやエラー訂正のための符号（以下、ＥＣＣという）を付加することにより、図２に示したフォーマットのオーディオチャンネルのデータを生成し、変調回路３３に出力する。
【００４４】
一方、合成回路３１には、テレビ番組用のビデオ信号の他、そのテレビ番組のジャンルを表す、図７で説明した選択コードが供給される。合成回路３１では、ビデオ信号の垂直ブランキング期間の所定の水平走査線上に、選択コードが重畳され、スクランブル回路３２に出力される。
【００４５】
スクランブル回路３２では、合成回路３１から出力された、選択コードが重畳されているビデオ信号がスクランブルされ、変調回路３３に出力される。
【００４６】
変調回路３３では、合成回路３５から出力されたデータ（以下、適宜、オーディオ系のデータという）がＱＰＳＫ変調されるとともに、スクランブル回路３２から出力された信号（以下、適宜、ビデオ系のデータという）がＦＭ変調され、後段の送信回路に出力される。送信回路では、変調回路３３からの変調信号が、所定の周波数帯域の信号になるようにアップコンバートされ、さらに必要なレベルに増幅されて出力される。そして、送信回路から出力された送信信号は、アンテナ（パラボラアンテナ）２（図１）に供給され、そこから衛星１１に向かって出射される。
【００４７】
以上のようにして、送信装置１からは、選択コードが重畳された番組用のビデオ信号およびオーディオ信号の他、所定の日数分（以下においては、例えば１ヶ月分とする）の番組表データが送出される。なお、番組表データを送出すること、および番組用のビデオ信号に、そのジャンルを表す選択コードを重畳することについては、そのうちのいずれか一方を行うようにすることができる。
【００４８】
次に、アンテナ２（図１）からの電波は、衛星１１で受信され、その内蔵するトランスポンダ（図示せず）で増幅され、地上に向かって出射される。この衛星１１からの電波は、受信側のアンテナ２１で受信され、その受信信号は、受信装置２２に供給される。
【００４９】
図９は、受信装置２２の詳細構成を示している。アンテナ２１からの受信信号は、図示せぬ受信回路に出力され、そこで所定の周波数帯域の信号にダウンコンバートされることにより、ＩＦ信号（中間周波数の信号）とされ、選局回路１１１に供給されるようになされている。選局回路１１は、制御回路８２に制御され、受信回路からのＩＦ信号から、所定のチャンネルのものを選択（選局）し、復調回路５１に供給するようになされている。
【００５０】
復調回路５１は、選局回路１１１で選択されたＩＦ信号を、ビデオ系のデータまたはオーディオ系のデータに復調し、それぞれをデスクランブル回路５２または分離回路５６に出力するようになされている。なお、復調回路５１は、復調したオーディオ系のデータ（図２）に対し、それに付加されているＥＣＣにしたがって、誤り訂正処理を施すようにもなされている。
【００５１】
デスクランブル回路５２は、復調回路５１からのビデオ系のデータをデスクランブルし、即ち送信装置１のスクランブル回路３２で、ビデオ系のデータにかけられたスクランブルを解き、その結果得られる信号、即ち（選択コードが重畳された）テレビ番組用のビデオ信号を、合成回路５４および判定回路１０１に出力するようになされている。
【００５２】
合成回路５４は、入力部８１の操作に対応して、デスクランブル回路５２，Ｄ／Ａ変換器７６、およびＶＴＲ９２のうちのいずれかの出力を選択し、ＣＲＴ５５に出力するようになされている。なお、合成回路５４は、Ｄ／Ａ変換器７６の出力を選択した場合、キャラクタジェネレータ７８からテキストデータが出力されているときには、Ｄ／Ａ変換器７６およびキャラクタジェネレータ７８の出力を合成し（例えば、Ｄ／Ａ変換器７６の出力に、キャラクタジェネレータ７８の出力を重畳し）、ＣＲＴ５５に出力するようになされている。ＣＲＴ５５は、合成回路５４の出力を、その画面上に表示するようになされている。
【００５３】
判定回路１０１は、デスクランブル回路５２の出力であるテレビ番組用のビデオ信号に、選択コードが重畳されている場合、その選択コードを抽出し、制御回路８２に出力するようになされている。
【００５４】
分離回路５６は、復調回路５１からのオーディオ系のデータから、図２に示した「オーディオ１」および「オーディオ２」の部分に配置されたデータ、即ちテレビ番組用のＬおよびＲチャンネルのオーディオ信号を抽出し、Ｄ／Ａ変換回路５７に出力するようになされている。さらに、分離回路５６は、復調回路５１からのオーディオ系のデータから、図２に示した「データ」の部分（データチャンネル）に配置されたデータ、即ち番組表データを抽出し、分離回路７１に出力するようになされている。
【００５５】
Ｄ／Ａ変換回路５７は、分離回路５６からのテレビ番組用のオーディオ信号を、Ｄ／Ａ変換することによりアナログ信号にして、合成回路５８に出力するようになされている。合成回路５８は、Ｄ／Ａ変換器５７，７７、およびＶＴＲ９２の出力であるオーディオ信号のうちのいずれかを選択し、スピーカ５９に供給するようになされている。スピーカ５９は、合成回路５８からの信号を、音声として出力するようになされている。
【００５６】
分離回路７１は、分離回路５６からの番組表データを、テキストデータ（Ｔ）、ビデオ信号（Ｖ）、およびオーディオ信号（Ａ）に分離して、ハードディスク７５に出力するようになされている。ハードディスク７５は、制御回路８２に制御され、分離回路７５から出力されたデータを記憶（記録）するようになされている。そして、ハードディスク７５に記録されたデータは、制御回路８２の制御の下、そこから読み出され、キャラクタジェネレータ７８，Ｄ／Ａ変換器７６、または７７に出力されるようになされている。
【００５７】
キャラクタジェネレータ７８は、ハードディスク７５からのデータ（番組表データのうちの表示テキストデータ）に対応したキャラクタ（例えば、文字や記号、図形など）を生成し、合成回路５４に出力するようになされている。Ｄ／Ａ変換器７６は、ハードディスク７５からのデータ（番組表データを構成するデータのうちのビデオ信号）をＤ／Ａ変換し、合成回路５４に出力するようになされている。Ｄ／Ａ変換器７７は、ハードディスク７５からのデータ（番組表データを構成するデータのうちのオーディオ信号）をＤ／Ａ変換し、合成回路５８に出力するようになされている。
【００５８】
入力部８１は、視聴者によって、必要に応じて操作され、その操作に対応した操作信号を、制御回路８２に出力するようになされている。
【００５９】
制御回路８２は、入力部８１からの操作信号、あるいはリモコン信号受信回路１１２からのリモコン信号に対応して、ハードディスク７５，ＶＴＲ９２、または選局回路１１１を制御するようになされている。メモリ９１は、制御回路８２が出力するデータ（後述するように、選択コード）を記憶するようになされている。
【００６０】
ＶＴＲ９２には、図示していないが、デスクランブル回路５２またはＤ／Ａ変換器５７それぞれの出力、即ちテレビ番組用のビデオ信号またはオーディオ信号が供給されるようになされている。ＶＴＲ９２は、制御回路８２の制御の下、デスクランブル回路５２またはＤ／Ａ変換器５７それぞれから供給されるテレビ番組用のビデオ信号またはオーディオ信号を録画（記録）し、また記録したビデオ信号またはオーディオ信号を、それぞれ合成回路５４または５８に出力するようになされている。また、ＶＴＲ９２に対しては、制御回路８２によって録画予約を行うことができるようになされている。
【００６１】
リモコン信号受信回路１１２は、リモコン装置２００からのリモコン信号としての光（例えば、赤外線など）を受光し、それを光電変換することにより、電気信号にして、制御回路８２に出力するようになされている。
【００６２】
リモコン装置２００は、例えば図１０に示すように入力部１３１および表示部１３５から構成されている。入力部１３１は、チャンネルボタン１４１，１４２、ジャンルボタン１４３、カーソルキー１４４乃至１４７、サーチボタン１４８、および予約ボタン１４９から構成されている。チャンネルボタン１４１または１４２は、地上回線または衛星回線よるテレビジョン放送のチャンネルを選択するときに、それぞれ操作される。ジャンルボタン１４３、カーソルキー１４４乃至１４７、サーチボタン１４８、および予約ボタン１４９については、後述する。
【００６３】
なお、入力部１３１には、以上のボタン（キー）の他、図示していないが、受信装置２２の電源をＯＮ／ＯＦＦするための電源ボタンなども設けられている。
【００６４】
表示部１３５には、入力部１３１の操作に対応した情報が表示されるようになされている。
【００６５】
次に、図１１は、リモコン装置２００の電気的構成例を示している。検出回路１３２は、上述した入力部１３１のいずれのボタン（キー）が操作されたかを検出し、その検出信号を制御回路１３３に出力するようになされている。制御回路１３３は、検出回路１３２からの検出信号に対応した情報を、表示部１３５に表示させるようになされている。さらに、制御回路１３３は、検出回路１３２からの検出信号に対応して、メモリ１３４にあらかじめ記憶された番組の種類（ジャンル）を表す選択コードを読み出し、表示部１３５に出力して表示させるようにもなされている。また、制御回路１３３は、検出回路１３３からの検出信号に対応して、リモコン信号発生回路１３６を駆動するようにもなされている。リモコン信号発生回路１３６は、制御回路１３３によって駆動され、入力部１３１の操作に対応した光を、リモコン信号として発するようになされている。
【００６６】
次に、その動作について説明する。上述したようにして送信装置１（図１）から送出された電波は、衛星１１を介してアンテナ２１で受信され、その受信信号は、受信回路を介して選局回路１１１（図９）に供給される。
【００６７】
一方、リモコン装置２００（図１０）における入力部１３１のチャンネルボタン１４１，１４２が操作されると、その操作されたボタンが検出回路１３２（図１１）によって検出され、検出信号が制御回路１３３に出力される。制御回路１３３では、検出回路１３２からの検出信号に応じて、リモコン信号発生回路１３６が駆動され、これによりリモコン信号が出力される。
【００６８】
このリモコン信号は、受信装置２２（図９）のリモコン信号受信回路１１２によって受光され、光電変換されて、制御回路８２に出力される。制御回路８２では、リモコン信号に対応して、選局回路１１１が制御される。これにより、選局回路１１１においては、受信回路からの受信信号を構成するチャンネルのうち、操作されたチャンネルボタン（チャンネルボタン１４１および１４２を構成するボタンのうちのいずれか）に対応するものが選択される。
【００６９】
選局回路１１１で選択されたチャンネルの受信信号は、復調回路５１に供給される。復調回路５１では、受信回路からの受信信号（ＩＦ信号）が、ビデオ系のデータまたはオーディオ系のデータに復調され、それぞれがデスクランブル回路５２または分離回路５６に出力される。
【００７０】
デスクランブル回路５２においては、復調回路５１からのビデオ系のデータがデスクランブルされ、合成回路５４を介してＣＲＴ５５に出力されて表示される。
【００７１】
一方、分離回路５６では、復調回路５１からのオーディオ系のデータから、テレビ番組用のＬおよびＲチャンネルのオーディオ信号が抽出され、Ｄ／Ａ変換回路５７に出力される。Ｄ／Ａ変換回路５７では、分離回路５６からのテレビ番組用のオーディオ信号がＤ／Ａ変換され、合成回路５８を介してスピーカ５９に供給されて出力される。
【００７２】
以上のようにして、リモコン装置２２０を操作することにより選択したチャンネルのテレビ番組の画像および音声が出力される。
【００７３】
一方、分離回路５６は、復調回路５１からのオーディオ系のデータに、番組表データが含まれていると、そのデータを抽出（分離）し、分離回路７１に出力する。
【００７４】
分離回路７１では、分離回路５６からの番組表データが、テキストデータ（表示テキストデータおよび制御テキストデータの両方）、ビデオ信号、およびオーディオ信号に分離され、ハードディスク７５に出力されて記録される。そして、入力部８１が操作されると、制御回路８２は、ハードディスク７５を制御し、そこから、番組表データを構成する表示テキストデータ、ビデオ信号、またはオーディオ信号それぞれが、キャラクタジェネレータ７８，Ｄ／Ａ変換器７６、または７７に供給されるように制御する。
【００７５】
キャラクタジェネレータ７８では、ハードディスク７５からの表示テキストデータに対応したキャラクタが生成され、合成回路５４に出力される。同時に、Ｄ／Ａ変換器７６では、ハードディスク７５からの番組表データのビデオ信号が、Ｄ／Ａ変換され、合成回路５４に出力される。
【００７６】
合成回路５４では、キャラクタジェネレータ７８からのキャラクタと、Ｄ／Ａ変換器７６からのビデオ信号が合成され、ＣＲＴ５５に出力される。
【００７７】
これにより、図６で説明したような番組表が表示される。
【００７８】
なお、Ｄ／Ａ変換器７７では、必要に応じて、ハードディスク７５からの番組表データのオーディオ信号がＤ／Ａ変換され、合成回路５８を介してスピーカ
５９に供給されて出力される。
【００７９】
制御回路８２は、入力部８１の操作に対応して、ハードディスク７５から読み出す番組表データを変えるようになされており、これによりＣＲＴ５５には、ハードディスク７５に記憶された番組表データすべてに対応する番組表を表示することができるようになされている。なお、ハードディスク７５に記録された番組表を、所定の時間（例えば、３０秒など）ごとに読み出して、ＣＲＴ５５に出力するようにし、これにより、ＣＲＴ５５において、所定の時間ごとに番組表を、順次表示させるようにすることもできる。
【００８０】
一方、判定回路１０１では、いま受信（選択）しているチャンネルのテレビ番組の選択コードが、デスクランブル回路５２の出力から抽出され、制御回路８２に出力される。制御回路８２では、判定回路１０１からの選択コードから、いま選局回路１１１で選択されているチャンネルの番組のジャンルが認識される。
【００８１】
次に、この受信装置２２においては、以上のようにしてリモコン装置２００（図１０）のチャンネルボタン１４１，１４２を操作し、受信するチャンネルを選択することができる他、番組の種類（ジャンル）を指定し、その指定したジャンルの番組のチャンネルを選択することができるようになされている。
【００８２】
即ち、リモコン装置２００（図１０）におけるジャンルボタン１４３が操作されると、制御回路１３３（図１１）は、メモリ１３４に記憶されている選択コードを読み出し、その選択コードに対応する番組のジャンルを表示部１３５に表示させる。
【００８３】
ここで、メモリ１３４には、種々の番組のジャンルに対応する選択コードが、階層化され、一覧表にされて、あらかじめ記憶されている。即ち、メモリ１３４には、最上位の階層に属するジャンルの選択コードとしては、例えば図１２に示す９種類が記憶されており、この各選択コードに対応するジャンル（以下、適宜、上位階層ジャンルという）が、より詳細なジャンルに分類できる場合には、上位階層ジャンルの下位階層に、その詳細なジャンルが属するように記憶されている。
【００８４】
例えば、図１２に示す上位階層ジャンル「映画」は、例えば図１３に示す９種類の詳細なジャンルに分類されている。
【００８５】
ジャンルボタン１４３が操作された場合、制御部１３３は、まず最初に、メモリ１３４に記憶された最上位階層に属するジャンルのうちの、例えばジャンル「映画」の選択コードを読み出し、表示部１３５に表示させる。そして、その後、例えば下向きのカーソルキー１４５が操作されると、制御部１３２は、その操作がされるごとに、メモリ１３４に記憶されている、ジャンル「映画」と同一階層に属する他の（異なる）ジャンルの選択コードを読み出し、その選択コードに対応する番組のジャンルを表示部１３５に表示させる。これにより、ジャンルボタン１４３の操作後、カーソルキー１４５が順次操作された場合には、例えば図１２に示すように、表示部１３５に表示されるジャンルが変化する。
【００８６】
なお、上向きのカーソルキー１４４が操作された場合には、カーソルキー１４５が操作された場合と反対方向に、表示部１３５に表示されるジャンルが変化するようになされている。
【００８７】
さらに、例えばジャンル「映画」が、表示部１３５に表示されている場合において、例えば右方向のカーソルキー１４７が操作されたときには、制御回路１３３は、メモリ１３４から、ジャンル「映画」の下位階層に属するジャンルのうちの、例えばジャンル「ラブロマンス」の選択コードを読み出し、表示部１３５に表示させる。そして、その後、例えば下向きのカーソルキー１４５が操作されると、制御部１３２は、その操作がされるごとに、メモリ１３４に記憶されている、ジャンル「映画」の下位階層に属する、他のジャンルの選択コードを読み出し、その選択コードに対応する番組のジャンルを表示部１３５に表示させる。これにより、カーソルキー１４７の操作後、カーソルキー１４５が順次操作された場合には、例えば図１３に示すように、表示部１３５に表示されるジャンルが変化する。
【００８８】
なお、上向きのカーソルキー１４４が操作された場合には、上述した場合と同様に、カーソルキー１４５が操作された場合と反対方向に、表示部１３５に表示されるジャンルが変化するようになされている。
【００８９】
また、図１３に示す下位階層のジャンルのいずれかが、表示部１３５に表示されている場合において、例えば左方向のカーソルキー１４６が操作されたときには、その上位階層のジャンルの表示状態、即ちジャンル「映画」が表示された状態に戻るようになされている。
【００９０】
さらに、図１３に示す下位階層のジャンルが、表示部１３５に表示されている場合において、さらにその下位階層のジャンルがあるときには、例えば右方向のカーソルキー１４７が操作されると、その下位階層のジャンルの表示が行われるようになされている。
【００９１】
以上のようにして、カーソルキー１４４乃至１４７を操作することにより、視聴者の所望するジャンルが、表示部１３５に表示された状態にされ、サーチボタン１４８が操作されると、そのジャンルに対応した選択コードが、リモコン信号として、リモコン発生回路１３６から出力される。このリモコン信号は、受信装置２２（図９）のリモコン信号受信回路１１２で受光され、制御回路８２に出力される。
【００９２】
制御回路８２は、選択コードに対応するリモコン信号を受信すると、図１４に示すフローチャートにしたがった処理を行う。
【００９３】
即ち、制御回路８２では、まずステップＳ１において、リモコン信号が表す選択コードとともに、後述するスタートチャンネルが、メモリ９１に転送されて記憶される。そして、ステップＳ２において、判定回路１０１から供給されている選択コードが読み取られ（解読され）、ステップＳ３に進み、その選択コードと、メモリ９１に記憶されている選択コードとが一致するか否かが判定される。
【００９４】
ステップＳ３において、判定回路１０１から供給されている選択コードが、メモリ９１に記憶されている選択コードと一致すると判定された場合、即ちいま選択されているチャンネルの番組のジャンルが、視聴者の所望するジャンルである場合、処理を終了する。
【００９５】
従って、この場合、視聴者が所望するジャンルの番組が表示されることになる。
【００９６】
ステップＳ３において、判定回路１０１から供給されている選択コードが、メモリ９１に記憶されている選択コードと一致しないと判定された場合、即ちいま選択されているチャンネルの番組のジャンルが、視聴者の所望するジャンルではない場合、ステップＳ４に進み、選局回路１１１が制御され、これにより選局回路１１１が選択するチャンネルが変更される。
【００９７】
そして、ステップＳ５に進み、いま選局回路１１１で選択されているチャンネル（ステップＳ４における変更後のチャンネル）が、メモリ９１に記憶されている選択コードと、判定回路１０１から供給されている選択コードとの比較を開始したときにおけるチャンネル（以下、スタートチャンネルという）か否かが判定される。ステップＳ５において、いま選局回路１１１で選択されているチャンネルが、スタートチャンネルでないと判定された場合、ステップＳ２に戻り、ステップＳ２からの処理を繰り返す。
【００９８】
また、ステップＳ５において、いま選局回路１１１で選択されているチャンネルが、スタートチャンネルであると判定された場合、即ち、いま放送されている番組の中に、視聴者が所望するジャンルのものがない場合、ステップＳ６に進み、上述したようにしてハードディスク７５に記録された番組表データのうちの、今日の番組に関するもの（以下、当日番組表データという）が読み出され、ステップＳ７に進む。
【００９９】
ステップＳ７では、ハードディスク７５から読み出された当日番組表データを構成する制御テキストデータのうちの選択コード（以下、当日選択コードという）の中で、メモリ９１に記憶されている選択コードと一致するものがあるか否かが判定される。ステップＳ７において、当日選択コードの中で、メモリ９１に記憶されている選択コードと一致するものがあると判定された場合、即ち今日放送される番組の中に、視聴者が所望するジャンルのものがある場合、ステップＳ８に進み、表示予約処理が行われる。
【０１００】
即ち、メモリ９１に記憶されている選択コードと一致する当日選択コードを含む制御テキストデータが、ハードディスク７５から読み出され、その中の時刻情報およびチャンネル情報が、メモリ９１に転送されて記憶される。
【０１０１】
その後、制御回路８２は、メモリ９１に記憶された時刻情報に対応する時刻になると、同じくメモリ９１に記憶されたチャンネルを選択するように、選局回路１１１を制御する。
【０１０２】
従って、この場合、視聴者が所望するジャンルの番組の放送が開始されると、その番組のチャンネルが選択されて表示されることになる。よって、視聴を予定していた番組を見逃すことを防止することができる。
【０１０３】
一方、ステップＳ７において、当日選択コードの中で、メモリ９１に記憶されている選択コードと一致するものがないと判定された場合、即ち今日放送される番組の中に、視聴者が所望するジャンルのものがない場合、処理を終了する。
【０１０４】
以上のように、所望する番組のジャンルを指定（選択）するだけで、その番組のチャンネルの選択が行われるので、視聴者に煩わしさを感じさせることを防止することができる。
【０１０５】
なお、メモリ９１には、リモコン装置２００を、上述したように操作することを繰り返すことにより、視聴者が所望する複数のジャンルに対応する選択コードを記憶させるようにすることができる。この場合、その複数の選択コードに対して、図１４に示した処理が行われる。
【０１０６】
次に、受信装置２２においては、上述のように、所望する番組のジャンルを指定（選択）することにより、その番組のチャンネルの選択を行う他、その番組の録画予約を、ＶＴＲ９２に対して行うことができるようになされている。
【０１０７】
即ち、上述した場合と同様にしてリモコン装置２００を操作することにより、視聴者が録画を所望する番組のジャンルが表示部１３５に表示された状態にされ、リモコン装置２００（図１０）の予約ボタン１４９が操作されると、その表示されたジャンルに対応したリモコン信号（選択コード）が、リモコン発生回路１３０から出力される。このリモコン信号は、受信装置２２のリモコン信号受信回路１１２で受光され、制御回路８２に出力される。
【０１０８】
制御回路８２は、予約ボタン１４９の操作に基づく、選択コードに対応するリモコン信号を受信すると、その選択コードをメモリ９１に転送して記憶させ、その後、図１５に示すフローチャートにしたがった処理を行う。
【０１０９】
即ち、制御回路８２では、まずステップＳ２１において、ハードディスク７５に記録された、例えば今日から１ヶ月分の番組表データのうちの、最初の（今日の分の）の番組表データ（番組表データのうちの制御テキストデータ）が読み出され、ステップＳ２２に進み、その読み出された番組表データに付随する（含まれる）選択コードが、メモリ９１に記憶されている選択コード（メモリ９１に複数の選択コードが記憶されている場合には、その複数のうちのいずれか）と一致するか否かが判定される。ステップＳ２２において、読み出された番組表データに付随する選択コードが、メモリ９１に記憶されている選択コードと一致すると判定された場合、ステップＳ２３に進み、その選択コードを含む制御テキストデータのうちの時刻情報およびチャンネル情報を参照しながら、ＶＴＲ９２に対するテレビ番組の録画予約（記録予約）が行われる。
【０１１０】
一方、ステップＳ２２において、読み出された番組表データに付随する選択コードが、メモリ９１に記憶されている選択コードと一致しないと判定された場合、ステップＳ２３をスキップして、ステップＳ２４に進み、ハードディスク７５からの、１ヶ月分の番組表データの読み出しが終了したか否かが判定される。ステップＳ２４において、ハードディスク７５からの、１ヶ月分の番組表データの読み出しが終了していないと判定された場合、即ちハードディスク７５から読み出すべき番組表データが、まだある場合、ステップＳ２５に進み、次の（次の日の分の）番組表データが、ハードディスク７５から読み出されて、ステップＳ２２に戻り、再びステップＳ２２からの処理を繰り返す。
【０１１１】
一方、ステップＳ２４において、ハードディスク７５からの、１ヶ月分の番組表データの読み出しが終了したと判定された場合、処理を終了する。
【０１１２】
以上の処理によれば、視聴者は、録画を希望するテレビ番組のジャンルを指示するだけで、その指示されたジャンルのテレビ番組の録画予約が、ＶＴＲ９２に対して行われる。従って、容易に録画予約を行うことができる。
【０１１３】
なお、本実施例においては、送信装置１で、番組のジャンルを表す選択コードを、その番組のビデオ信号に重畳するようにしたが、選択コードは、この他、例えば図２に示したオーディオ系のデータの「データ」の部分（データチャンネル）に配置するようにすることも可能である。
【０１１４】
また、本実施例では、送信装置１にスクランブル回路３２を設けるようにしたが、番組に、スクランブルをかける必要がなければ、このスクランブル回路３２は設けずに、送信装置１を構成するようにすることができる。この場合、受信装置２２は、デスクランブル装置５２を設けずに構成することができるようになる。
【０１１５】
さらに、本実施例においては、リモコン装置２００に表示部１３５を設け、カーソルキー１４４乃至１４７を操作することにより、表示部１３５に、ジャンルを表示させ、視聴者に、所望するジャンルを選択させるようにしたが、この他、例えば図１６に示すように、リモコン装置に、ジャンルの指定を行うジャンル別ボタンを設け、これを操作することにより、視聴者に、所望するジャンルを選択させるようにするにしても良い。
【０１１６】
また、本実施例では、リモコン装置２００に、選択コードをあらかじめ記憶させたメモリ１３４を設けるようにしたが、このメモリ１３４は、リモコン装置２００ではなく、受信装置２２に設けるようにすることができる。この場合、メモリ１３４に記憶されている選択コードに対応するジャンルは、ＣＲＴ５５に表示され、その表示を見ながらリモコン装置２００が操作されて、所望するジャンルが選択される。
【０１１７】
以上の如く、本発明によれば、１つの番組の番組表にテレビ番組のスポンサー又は番組表のスポンサーの広告画像を１画面に表示できる。
【図面の簡単な説明】
【図１】本発明を適用した衛星放送システムの一実施例の構成を示す図である。
【図２】図１の実施例におけるオーディオ系のデータ（オーディオチャンネル）のフォーマットを示す図である。
【図３】図２におけるデータチャンネルのフォーマットを示す図である。
【図４】本発明における番組表データの構造を説明する図である。
【図５】図４の実施例における番組表のデータ構成を説明する図である。
【図６】図４の１つの番組表の表示例を示す図である。
【図７】選択コードが重畳されたビデオ信号を示す図である。
【図８】図１の送信装置１の詳細構成を示すブロック図である。
【図９】図１の受信装置２２の詳細構成を示すブロック図である。
【図１０】図９におけるリモコン装置２００の構成例を示す図である。
【図１１】図１０のリモコン装置２００の電気的構成例を示すブロック図である。
【図１２】図１０におけるリモコン装置２００の表示部１３５に表示される番組のジャンルを説明する図である。
【図１３】図１０におけるリモコン装置２００の表示部１３５に表示される番組のジャンルを説明する図である。
【図１４】図９の制御回路８２のチャンネルの選択制御処理を説明するフローチャートである。
【図１５】図９の制御回路８２の録画予約制御処理を説明するフローチャートである。
【図１６】リモコン装置２００の他の構成例を示す図である。
【符号の説明】
１  送信装置，  ２  パラボラアンテナ，  １１  衛星，  ２１  パラボラアンテナ，  ２２  受信装置，  ３１  合成回路，  ３２  スクランブル回路，  ３３  変調回路，  ３４  Ａ／Ｄ変換器，  ３５  合成回路，  ４１  Ａ／Ｄ変換器，  ４３  合成回路，  ４４  Ａ／Ｄ変換器，  ５１  復調回路，  ５２  デスクランブル回路，  ５４  合成回路，  ５５  ＣＲＴ，  ５６  分離回路，５７  Ｄ／Ａ変換器，  ５８  合成回路，  ５９  スピーカ，  ７１  分離回路，  ７５  ハードディスク，  ７６，７７  Ｄ／Ａ変換器，  ７８  キャラクタジェネレータ，  ８１  入力部，  ８２  制御回路，  ９１  メモリ，  ９２ＶＴＲ（ビデオテープレコーダ），  １０１  判定回路，  １１１  選局回路，  １１２  リモコン信号受信回路，  １３１  入力部，  １３２  検出回路，１３３  制御回路，  １３４  メモリ，  １３５  表示部，  １３６  リモコン信号発生回路，  １４１，１４２  チャンネルボタン，  １４４乃至１４７  カーソルキー，  １４８  サーチボタン，  １４９  予約ボタン，  ２００  リモコン装置
【図１】
0003900515.tif 000002
【図２】
0003900515.tif 000003
【図３】
0003900515.tif 000004
【図４】
0003900515.tif 000005
【図５】
0003900515.tif 000006
【図６】
0003900515.tif 000007
【図７】
0003900515.tif 000008
【図８】
0003900515.tif 000009
【図９】
0003900515.tif 000010
【図１０】
0003900515.tif 000011
【図１１】
0003900515.tif 000012
【図１２】
0003900515.tif 000013
【図１３】
0003900515.tif 000014
【図１４】
0003900515.tif 000015
【図１５】
0003900515.tif 000016
【図１６】
0003900515.tif 000017